(57)【要約】【課題】  壁面に取り付けるパネルを簡単に取り付けたり取り外したりでき、パネルの左右方向の取付位置、パネルの左右方向の傾斜角度、さらにパネルの上下方向の傾斜角度をパネルを取り外さなくても、取付状態のままで、しかも極めて簡単に調整可能で、しかも所定位置でしっかりと固定可能な角度調整機構を設けた壁面取付具を安価に提供する。【解決手段】  パネル上部に取り付ける左右調整具と下部に取り付ける上下調整具とからなり、左右調整具は基底部と該基底部に回転軸によって左右方向に回動自在に接続される保持部と該保持部の端部から水平方向に突出するア−ムとからなり、該ア−ムは前記保持部内部を左右方向に移動可能に挿通され先端部にパネルを引っ掛けるためのフックが設けられ、前記上下調整具は基底部と伸縮自在に設けられたアジャスタ−とからなり、その先端部にパネルを引っ掛けるためのフックを設けるようにした。【選択図】        図１
2005095517.tif 000002
【特許請求の範囲】
【請求項１】
パネル等を壁面に取り付けるための取付具であって、該取付具は、パネル上部に取り付けられ、パネル等の左右方向の角度と位置を自在に調整可能とする構成を有する左右調整具と、パネル下部に取り付けられ、パネル等の上下方向の角度を自在に調整可能とする構成を有する上下調整具とからなることを特徴とする壁面取付具。
【請求項２】
前記左右調整具は壁面の所定位置に固定される基底部と該基底部に回転軸によって左右方向に回動自在に接続され、所定位置で係止される構造の保持部と、該保持部の端部から略水平方向に突出する左右２本のア−ムとからなり、該ア−ムは前記保持部内部を左右方向に伸縮自在に移動可能に挿通され、所定位置で係止される構造を有し、その先端部にパネル等を所定位置に引っ掛けるためのフックが設けられており、前記上下調整具は、壁面の所定位置に固定される基底部とアジャスタ−とからなり、該アジャスタ−は、前記基底部内に伸縮自在に挿通され、所定位置で係止される構造を有し、該アジャスタ−は先端部にパネル等を所定位置に引っ掛けるためのフックが設けられていることを特徴とする請求項１に記載の壁面取付具。
【請求項３】
前記左右調整具の基底部が壁面の所定位置に取り付けられる取り付け板と該取り付け板から突出して設けられた上下２枚の回転板からなり、前記保持部の側面に、前記回転板に向けて突出片が設けられており、該突出片が前記２枚の回転板の間に挿入され、回転板によって挟持され、前記回転軸によって回動自在に接続されており、前記左右調整具の基底部と保持部を回動自在に接続する回転軸及び回転軸の係止構造が、雄ネジを形成したボルト本体とそれに螺合する雌ネジを形成したナットからなり、前記左右調整具のア−ムの長手方向に調整溝が設けられ、前記保持部に、前記左右２本のア−ムを任意の位置で係止させるア−ム固定具が設けられており、該ア−ム固定具が前記ア−ムの調整溝を貫通する雄ネジを形成した蝶ネジボルトとア−ムの調整溝の裏面から前記蝶ネジボルトと螺合する構成の雌ネジを形成したナットからなり、前記上下調整具の基底部が、壁面の所定位置に取り付けられる取り付け板と該取り付け板に連設して設けられ、アジャスタ−の伸縮部を収納するための調整部からなり、前記上下調整具のアジャスタ−が、雄ネジを形成したアジャスタ−ボルトと、該アジャスタ−ボルトを基底部の任意の位置で係止させるためのアジャスタ−固定具とから構成されており、該アジャスタ−固定具は前記アジャスタ−ボルトの雄ネジと螺合する雌ネジを有するナットからなり、前記基底部の調整部の内部を伸縮し、任意の位置で前記アジャスタ−ボルトがナットによって係止される構造であることを特徴とする請求項１又は２に記載の壁面取付具。
【発明の詳細な説明】
【技術分野】
【０００１】
本発明は、建築物の壁面にパネル等を取り付けるための取付具に関する。
【背景技術】
【０００２】
従来、壁面に液晶ディスプレイ等のＡＶ機器、その他額縁などのパネル等を壁面に取り付けるためには、吊り下げ用ワイヤロ−プの両端に設けられたル−プをパネル裏面の止金具に引っ掛けて吊すかまたは、壁面に設けられた壁面取り付け支え具にパネル裏面に設けられた支柱を支柱固定ネジで固定するかのいずれかの方法が用いられてきた。（例えば、特許文献１、２参照）。
【０００３】
【特許文献１】登録実用新案第３０９２６３０号公報（第１−３頁、第１図、第２図）
【特許文献２】特開２００３−１１１６５５号公報（第１−５頁、第２図、第１４図、第１６図）
【発明の開示】
【発明が解決しようとする課題】
【０００４】
しかしながら、上記、登録実用新案第３０９２６３０号公報や特開２００３−１１１６５５号公報に開示されている方法では、壁面に取り付けられたパネルの角度調整ができなかった。すなわち、パネルを壁面に取り付け状態で、左右の向きを調整したり、上下方向の仰角、俯角を調整したりすることができなかった。角度調整しようと思えば、登録実用新案第３０９２６３０号公報に開示されている方法では、上下左右の角度、向きを調整するためのスペ−サ−を特別に用意し、パネルと壁面との間に介在させて調節しなければならず、スペ−サ−の厚みもいくつか用意し、実際にパネルと壁面間に挿入し取り付け角度を試行錯誤しながら行わなければならず、極めて非能率的であり、調整に手間がかかっていた。また、特開２００３−１１１６５５号公報に開示されている方法では、一旦、パネルを壁面から取り外して、角度、向きを再度調整してから壁面に取り付けし直さなければならず、その手間は多大であった。
【０００５】
本発明の目的は、壁面に取り付けるパネルを簡単に取り付けたり取り外したりでき、パネルの左右方向の取り付け位置、パネルの左右方向の傾斜角度、さらにパネルの上下方向の傾斜角度をパネルを取り外さなくても、取り付け状態のままで、しかも極めて簡単に調整可能で、しかも所定位置でしっかりと固定可能で、構造がシンプルなゆえメンテナンスも容易で、強度耐久性にも優れた、上下左右調整機構を設けた壁面取付具を安価に提供することにある。
【課題を解決するための手段】
【０００６】
上記目的を達成するため、本発明の請求項１に記載の発明は、パネル等を壁面に取り付けるための取付具であって、該取付具は、パネル上部に取り付けられ、パネル等の左右方向の角度と位置を自在に調整可能とする構成を有する左右調整具と、パネル下部に取り付けられ、パネル等の上下方向の角度を自在に調整可能とする構成を有する上下調整具とからなることを特徴とする。
【０００７】
係る構成から、パネル等を壁面に取り付ける場合、パネル等の裏面上部に左右調整具が設けられているので、該左右調整具によって、パネル等の左右方向の取り付け角度が自在に調整可能となる。また、前記パネル等の裏面の下部に上下調整具が設けられているので、パネル等の上下方向の取り付け角度が自在に調整可能となる。
【０００８】
本発明の請求項２に記載の発明は、請求項１に記載の壁面取付具において、前記左右調整具は壁面の所定位置に固定される基底部と該基底部に回転軸によって左右方向に回動自在に接続され、所定位置で係止される構造の保持部と、該保持部の端部から略水平方向に突出する左右２本のア−ムとからなり、該ア−ムは前記保持部内部を左右方向に伸縮自在に移動可能に挿通され、所定位置で係止される構造を有し、その先端部にパネル等を所定位置に引っ掛けるためのフックが設けられており、前記上下調整具は、壁面の所定位置に固定される基底部とアジャスタ−とからなり、該アジャスタ−は、前記基底部内に伸縮自在に挿通され、所定位置で係止される構造を有し、該アジャスタ−は先端部にパネル等を所定位置に引っ掛けるためのフックが設けられていることを特徴とする。
【０００９】
係る構成から、パネル等を壁面に取り付けるに当たって、左右調整具及び上下調整具に設けられたフックを利用して極めて簡単に取り付けできる。また、左右調整具の回転軸を利用して左右調整具の保持部を基底部に対して回動自在に所定の角度に調整可能で、パネルの左右方向の傾斜角度を簡単にしかもパネルを取り外さないで調整でき、、所定位置で係止さ可能となる。また、左右調整具のア−ムが左右２本のア−ムからなり、該ア−ムを保持部からスライドさせて伸縮させると、ア−ム先端のフック間隔がパネルのフック受けの間隔に丁度良い位置に合わせることができる。また、前記ア−ムを左右方向にスライドさせるとパネルの左右取り付け位置が簡単にしかもパネルを取り外さないで調整でき、しかも所定位置で係止可能となる。
【００１０】
また、前記上下調整具のアジャスタ−は前記基底部内に伸縮自在に挿通されており、前記アジャスタ−を伸縮させると、パネルの上下方向の角度の調整が簡単に、しかもパネルを取り外さないで調整でき、しかも所定の位置で係止可能となる。
【００１１】
本発明の請求項３に記載の発明は、請求項１又は２に記載の壁面取付具において、前記左右調整具の基底部が壁面の所定位置に取り付けられる取り付け板と該取り付け板から突出して設けられた上下２枚の回転板からなり、前記保持部の側面に、前記回転板に向けて突出片が設けられており、該突出片が前記２枚の回転板の間に挿入され、回転板によって挟持され、前記回転軸によって回動自在に接続されており、前記左右調整具の基底部と保持部を回動自在に接続する回転軸及び回転軸の係止構造が、雄ネジを形成したボルト本体とそれに螺合する雌ネジを形成したナットからなり、前記左右調整具のア−ムの長手方向に調整溝が設けられ、前記保持部に、前記左右２本のア−ムを任意の位置で係止させるア−ム固定具が設けられており、該ア−ム固定具が前記ア−ムの調整溝を貫通する雄ネジを形成した蝶ネジボルトとア−ムの調整溝の裏面から前記蝶ネジボルトと螺合する構成の雌ネジを形成したナットからなり、前記上下調整具の基底部が、壁面の所定位置に取り付けられる取り付け板と該取り付け板に連設して設けられ、アジャスタ−の伸縮部を収納するための調整部からなり、前記上下調整具のアジャスタ−が、雄ネジを形成したアジャスタ−ボルトと、該アジャスタ−ボルトを基底部の任意の位置で係止させるためのアジャスタ−固定具とから構成されており、該アジャスタ−固定具は前記アジャスタ−ボルトの雄ネジと螺合する雌ネジを有するナットからなり、前記基底部の調整部の内部を伸縮し、任意の位置で前記アジャスタ−ボルトがナットによって係止される構造であることを特徴とする。
【００１２】
係る構成から、前記左右調整具によるパネルの左右傾斜角度調整が２枚の回転板に挟持された突出片によって行えるので、構造がシンプルで左右傾斜角度調整する際、極めて簡単に行え、より好適である。また、前記左右調整具によってパネルを左右位置調整した後の係止構造が、前記ア−ムに設けられた調整溝と該調整溝を利用し、蝶ネジボルトとナットによってア−ムを所定位置で係止させることが簡単にできる。従って、左右調整具によるパネルの左右傾斜角度の調整構造及びパネルの左右位置調整構造が、シンプルであり、複雑な構造を必要とせず、調整が極めて簡単で、しかもパネルを取り付けたままで調整が行え、メンテナンスも容易で、強度耐久性にも優れ、しかも安価なものとなる。
【００１３】
また、前記上下調整具のアジャスタ−がアジャスタ−ボルトとアジャスタ−固定具からなり、前記上下調整具の基底部が取り付け板とそれに連設する調整部から構成されているので、前記アジャスタ−ボルトの伸縮部分を前記調整部内に適当長さ収納でき、アジャスタ−ボルトの長さ調整が簡単にできる。また、アジャスタ−固定具がアジャスタ−ボルトの雄ネジと螺合する雌ネジを有するナットであるので、丁度良いアジャスタ−ボルトの長さの位置で、前記ナットによってアジャスタ−ボルトを簡単に固定できる。従って、上下調整具によるパネルの上下調整構造がシンプルであり、複雑な構造を必要とせず、調整が極めて簡単で、しかもパネルを取り付けたままで調整が行え、メンテナンスも容易で、強度耐久性にも優れ、しかも安価なものとなる。
【発明の効果】
【００１４】
パネル等を壁面に取り付けるに当たって、左右調整具及び上下調整具に設けられたフックを利用して極めて簡単に取り付けできる。左右調整具の２本のア−ムを保持部からスライドさせて伸縮させることで、ア−ムに設けたフック間隔をパネル裏面のフック受け間隔と丁度良い寸法間隔になるように合わせ、その位置で簡単に固定できる。また、前記ア−ムを左右方向にスライドさせることで、パネルの左右取り付け位置をパネルを取り外さないで調整可能で、しかもその位置で簡単に固定できる。さらに、左右調整具の回転軸を利用することで、パネルの左右方向の傾斜角度を簡単にしかもパネルを取り外さないで調整でき、ア−ムの調整溝を利用してア−ム固定具で簡単にしかも、しっかりと固定できる。
【００１５】
また、上下調整具のアジャスタ−ボルトを伸縮させることで、パネルの上下方向の角度の調整が簡単に、しかもパネルを取り外さないで簡単に調整でき、アジャスタ−固定具によって、パネルを所定位置で、極めて簡単にしっかりと固定できる。
【００１６】
また、前記左右調整具、上下調整具の構造がシンプルであり、複雑な構造でないので、メンテナンスも容易で、強度耐久性にも優れ、しかも安価なものとなる。
【発明を実施するための最良の形態】
【００１７】
本発明の壁面取付具の実施形態の一例を図面に従って詳細に説明する。図１は本発明の壁面取付具をパネル裏面に取り付けた状態を示す斜視図であり、パネルの裏面から見たところを示す。図２は本発明の左右調整具を示し、（イ）は斜視図で、（ロ）は（イ）のＡ−Ａ線断面図である。図３は本発明の上下調整具を示し、（イ）は斜視図で、（ロ）は（イ）のＢ−Ｂ線断面図である。図４はパネルの傾斜角度や取り付け位置の調整機構の説明図であり、（イ）はパネルの左右方向の取り付け位置及びパネルの左右方向の傾斜角度の調整機構の説明図でパネルを上から見たところを示す。（ロ）はパネルの上下方向の傾斜角度の調整機構の説明図で、パネルを側面から見たところを示す。
【００１８】
図１において、本発明の壁面取付具は、左右調整具１と上下調整具２の組み合わせで構成されており、前記左右調整具１は左右にフックＦを各１個有し、パネルＰの裏面側の上部に取り付けられており、前記上下調整具２は、その中央のアジャスタ−の先端にフックＦを１個有しており、パネルＰの裏面側の下部の幅方向の略中程に取り付けられている。パネルＰの裏面側の上部にフック受けＵ１が左右２カ所取り付けられており、パネル裏面下部にパネルＰの幅方向に長いフック受けＵ２が１個取り付けられている。パネルＰの裏面の下部のフック受けＵ２の長さは前記左右調整具１のア−ムｍの最大長さにほぼ近い長さとしておく。
【００１９】
前記３個のフックＦと３個のフック受けＵは互いに嵌合し、パネルＰを係止している。左右調整具１が壁面（図４参照）に取り付けネジｒ（図４参照）で所定位置に取り付け固定されている。同様にして前記左右調整具１の下部に上下調整具２が壁面（図４参照）に取り付けネジｒ（図４参照）を用いて取り付け固定されている。
【００２０】
本発明の上下、左右調整具によって壁面に取り付けるパネルＰは、さまざまなものが利用できるが、例えば、ＡＶ機器類としての液晶ディスプレイ、絵画の額縁、壁面に取り付ける種々のボ−ド類等が例示できる。また本発明の上下、左右調整具の材質は、アルミ、ジュラルミン、鋼板、鉄板、マグネシウム合金、ステンレス、亜鉛メッキや真鍮メッキ鉄板、その他の金属製、ＡＢＳ樹脂、硬質塩ビ樹脂、硬質ウレタン樹脂、その他の合成樹脂成型体の他、シタン、コクタン、チ−ク材等、比較的高比重で狂いの少ない木材無垢、又は集成材等を例示できる。また、それらの材料を張り合わせたりした複合材料であっても良い。
【００２１】
図２において、パネルＰの裏面上部に取り付ける左右調整具１について詳述する。左右調整具１は、基底部Ｋ１と該基底部Ｋ１に回転軸Ｊによって接続されている保持部Ｈと該保持部Ｈの両端部から左右水平方向に突出する２本のア−ムｍとから構成されている。前記基底部Ｋ１は壁面に取り付けるための取り付け板Ｂ１と該取り付け板Ｂ１から突出する上下２枚１組の回転板Ｇから構成されている。前記基底部Ｋ１の壁面Ｗ（図４参照）への取り付けは、前記取付板Ｂ１に設けられた取り付け穴ａを利用して木ネジｒ（図４参照）等で取り付ければよい。
【００２２】
前記保持部Ｈは、そのほぼ中央に、後方、すなわち前記回転板Ｇに向けて突出する突出片Ｔが形成されており、該突出片Ｔの先端は前記２枚１組の回転板Ｇの間に挿入されており、２枚の回転板Ｇによって挟持されている。２枚の回転板Ｇとその間に挟持された突出片Ｔのほぼ中央に、回転軸Ｊ用の穴が設けられており、前記回転軸Ｊが前記回転軸用の穴を挿通し、回転板Ｇと突出片Ｔが接続されている。このようにして、前記回転軸Ｊによって、保持部Ｈが左右方向に回動自在となるように構成されている。
【００２３】
前記回転軸用の穴と回転軸Ｊとの嵌合度を適度に固めにし、保持部Ｈの回転軸Ｊまわりの回動の動く固さを適度に固めに調整しておく方が良い。あまり、ゆるめであると保持部Ｈが適度な傾斜角度で係止せず、ガタツキの原因となる。前記回転軸用の穴と回転軸Ｊについて具体的に一例を挙げると、２枚の回転板Ｇ及び突出片Ｔに設けられた回転軸用の穴にはネジ切りを施さないで、単なる丸穴としておく。そして、回転軸Ｊとして雄ネジを有する六角ボルトを用い、回転板Ｇの上から突出片Ｔと下側の回転板Ｇの丸穴を挿通させ、下側の回転板Ｇの裏面から前記六角ボルトの先端部を突出させる。そして、前記六角ボルトの下端部の突出した箇所に、六角ボルトの雄ネジと螺合する雌ネジを有するナットＥをねじ込んで固定する。
【００２４】
この時、ナットＥを強く締めすぎると保持部Ｈが回転しなくなり、ナットＥをゆるめると保持部Ｈが係止できないでガタツクことになる。ナットＥの締め具合を適度に加減して若干固めにナットＥを締めておくと、保持部Ｈ及びア−ムｍの左右傾斜角度が手の力を少し加えるだけで、ガタツキなく最適箇所に簡単に動き、且つその位置でガタツキなく係止できる。左右傾斜角度が調整されたのち、その箇所である程度の強すぎない力を加えてナットＥを加減して適度に締めると、保持部Ｈ及びア−ムｍをガタツキなく丁度良い角度位置で係止させることができる。また、パネルの左右傾斜角度を微調整するときは手で少し力を加えれば、極めて簡単に角度を変えることができる。前記回転軸ＪとナットＥによる回転と係止構造は、一例であって、この例に限定されるものではない。
【００２５】
前記保持部Ｈの両端部から前記２本のア−ムｍが水平方向に左右へ突出している。該ア−ムｍには、その長手方向に調整溝Ｌが設けられている。該調整溝Ｌは、本例では、ア−ムｍの裏面側に貫通している。さらに、前記ア−ムｍは前記保持部Ｈの左右両端部から伸縮自在にスライドする構成となっている。ア−ムｍは左右２本に分かれており、ア−ムｍをそれぞれ別々に左右水平方向に伸縮させることができる。前記保持部Ｈの内部をスライドする構成となっている。ア−ムｍの左右の長さを別々に自在に調整することができる。ア−ムｍの先端にフックＦが設けられており、ア−ムｍの長さを調整することで、左右２個のフックＦの間隔が自在に且つ極めて簡単に調整可能となっている。パネルＰの裏面に設けられた３個のフック受けＵのうちの上部の２個の上部フック受けＵ１と左右調整具１の左右のフックＦが適度に嵌合する構成となっており、前記２個の上部フック受けＵ１の間隔と左右調整具１の前記２個のフックＦの間隔を調整して簡単に合わせることができる。
【００２６】
さらに、保持部Ｈの上面に２個のア−ム固定具Ｃが設けられており、ア−ムｍの左右の長さが調整し終わったあと、ア−ム固定具Ｃによってア−ムｍをしっかりと固定できる。前記ア−ム固定具Ｃは、一例として、六角ボルトとナットＥによる固定、蝶ネジボルトとナットＥによる固定等を例示できる。本例では蝶ネジボルトとナットＥによる固定の例を示している。ア−ムｍが所定長さに調整されたあと、保持部Ｈの上面から蝶ネジボルトを、ア−ムｍに形成されている調整溝Ｌに挿通させア−ムｍの裏面から飛び出た蝶ネジボルトの先端にナットＥをねじこんで固定する。この時、ナットＥを適度にゆる目に締めておくことで、ガタツキなく、しかも、パネルＰを左右方向へ移動させ、パネルＰの左右取り付け位置を調整する際、手の力を少し加えるだけで、極めて簡単にパネルを左右方向へ動かすことができる。しかも、パネルＰを取り外さないで、これらの調整を行うことができる。
【００２７】
図３において、パネルＰの裏面下部に取り付ける上下調整具２について詳述する。上下調整具２は、基底部Ｋ２とアジャスタ−ＡＪとから構成されており、該アジャスタ−ＡＪはアジャスタ−ボルトＡＢとアジャスタ−固定具Ｎからなり、その先端部にフックＦが設けられている。前記基底部Ｋ２は調整部Ｑと該調整部Ｑの裏面に設けられた取付板Ｂ２とで構成されている。前記基底部Ｋ２の壁面Ｗ（図４参照）への取り付けは、前記取付板Ｂ２に設けられた取り付け穴ａを利用して木ネジｒ（図４参照）等で取り付ければよい。
【００２８】
前記調整部Ｑは前記アジャスタ−ボルトＡＢの伸縮を調整する機能を持ち、本例では、調整部Ｑのほぼ中央にねじ切りの無い丸穴が設けられており、前記アジャスタ−ボルトＡＢが自在にゆるめに挿通し、アジャスタ−ボルトＡＢを縮めた時、アジャスタ−ボルトＡＢの余分な部分は前記調整部Ｑの内部に収納される構成となっている。本例ではアジャスタ−固定具Ｎはアジャスタ−ボルトＡＢにねじ込まれたナットの例を示している。
【００２９】
次に、本発明のアジャスタ−ＡＪの伸縮調整と、調整後のアジャスタ−ボルトＡＢの固定について述べる。調整部Ｑに当接しているアジャスタ−固定具Ｎを３個（本例では、調整部Ｑの内部に１個、外側に２個のダブルナット方式を例示）とも、調整部Ｑから適度な寸法分だけ離してゆるめる。次に、アジャスタ−ボルトＡＢを伸縮させて丁度良い長さまで調整する。次に、その箇所でアジャスタ−固定具Ｎ（本例ではナット）を調整部Ｑに対して内部と外部から１個づつ締め上げて固定する。最後に調整具Ｑの外側の３個目のナットを締め上げて固定を確実にする。これらの調整はパネルＰを取り外さないで行うことができる。
【００３０】
また、前記上下調整具２のアジャスタ−ボルトＡＢの先端に設けられたフックＦと嵌合する下部フック受けＵ２は前記左右調整具１のア−ムｍの最大長さに匹敵する程度に長くして、パネルＰの裏面下部の横方向に取り付けておくことが重要である。前記左右調整具１によってパネルＰの左右取り付け位置調整する際に、パネルＰが左右方向へ調整長さ分だけ移動するので、前記下部フック受けＵ２を長くしておく必要がある。
【００３１】
図４において、これまで詳述してきた、本発明の左右調整具１及び上下調整具２の調整機構を図解で説明する。左右調整具１は、左右のア−ムｍを伸縮させてその両端にある２個のフックＦの間隔とパネル裏面の２個の上部フック受けＵ１の間隔をうまく合わせることができる。また、また、左右調整具１の保持部Ｈの中央に有る回転軸Ｊを中心に左右に回動自在に構成されており、パネルＰの左右傾斜角度が自在に調整可能となる。また、前記ア−ムｍを左右へスライドさせると、パネルＰの左右取り付け位置調整が可能となる。また、上下調整具２はアジャスタ−ＡＪを伸縮させてパネルＰの上下方向の傾斜角度が自在に調整可能となる。
【図面の簡単な説明】
【００３２】
【図１】本発明の壁面取付具のパネル裏面への取付状態を示す斜視図。
【図２】本発明の左右調整具を示す。          （イ）斜視図          （ロ）（イ）のＡ−Ａ線断面図。
【図３】本発明の上下調整具を示す。          （イ）斜視図          （ロ）（イ）のＢ−Ｂ線断面図。
【図４】パネルの取付位置及び取付傾斜角度の調整機構の説明図。          （イ）パネルの左右位置調整及び左右傾斜角度調整機構の説明図。          （ロ）パネルの上下傾斜角度調整機構の説明図。
【符号の説明】
【００３３】
１      左右調整具
Ｋ１    基底部
Ｂ１    取付板
ａ      取付穴
ｒ      取付ネジ
Ｇ      回転板
Ｊ      回転軸
Ｅ      ナット
Ｈ      保持部
Ｔ      突出片
ｍ      ア−ム
Ｌ      調整溝
Ｃ      ア−ム固定具
Ｅ      ナット
Ｆ      フック
２      上下調整具
Ｋ２    基底部
Ｂ２    取付板
Ｑ      調整部
ＡＪ    アジャスタ−
ＡＢ    アジャスタ−ボルト
Ｎ      アジャスタ−固定具
Ｐ      パネル
Ｕ      フック受け
Ｕ１    上部フック受け
Ｕ２    下部フック受け
Ｗ      壁面
【図１】
2005095517.tif 000003
【図２】
2005095517.tif 000004
【図３】
2005095517.tif 000005
【図４】
2005095517.tif 000006